(57)【特許請求の範囲】
【請求項１】
自動的に目標変速比（ｕｅ＿ｓｏｌｌ）が選択される第１の動作モードのほかに、運転者が直接、目標変速比（ｕｅ＿ｓｏｌｌ）を選択可能な第２の動作モードが設けられている無段変速機（２）用の制御装置（６）において、
当該制御装置（６）は、設定調整装置（３１）を介した変速機（２）における目標変速比（ｕｅ＿ｓｏｌｌ）の設定調整に際して、１つまたは２つの減衰機能部（３５；３６，３７）を備えた減衰装置を用い、
該減衰装置（３５，３６，３７）は、設定調整すべき目標変速比（ｕｅ＿ｓｏｌｌ）を求める装置（３２，３３）と変速機（２）における目標変速比（ｕｅ＿ｓｏｌｌ）を設定する設定調整装置（３１）との間に設けられており、該減衰装置（３５，３６，３７）は変速機（２）において設定調整すべき目標変速比（ｕｅ＿ｓｏｌｌ）の変化を制御して、前記第１の動作モード中、前記減衰装置の１つまたは２つの減衰機能部（３５；３６；３７）により、前記変速機（２）おける目標変速比（ｕｅ＿ｓｏｌｌ）を設定調整する前記設定調整装置（３１）の調節運動が、前記第２の動作モード中よりも強く減衰されることを特徴とする、
無段変速機用の制御装置。
【請求項２】
減衰機能部（３５）を備えた減衰装置は、前記設定調整装置（３１）または変速比制御装置（２７）に配置されており、該減衰装置は前記第１の動作モード中、前記設定調整装置（３１）の調節運動に対し前記第２の動作モード中よりも強く減衰する、請求項１記載の制御装置。
【請求項３】
設定調整すべき目標変速比（ｕｅ＿ｓｏｌｌ）を求める前記装置（３２，３３）が前記変速比制御装置（２７）に配置されており、
該変速比制御装置（２７）は、第１の動作モードにおける目標変速比（ｕｅ＿ｓｏｌｌ）を求める第１の判定機能部と、第２の動作モードにおける目標変速比（ｕｅ＿ｓｏｌｌ）を求める第２の判定機能部を有しており、
２つの減衰機能部（３６，３７）を備えた前記減衰装置が、前記変速比制御装置（２７）において目標変速比（ｕｅ＿ｓｏｌｌ）を求める前記装置（３２，３３）の後段に接続されており、
第１の減衰機能部（３６）は第１の動作モード中、前記設定調整装置（３１）による目標変速比（ｕｅ＿ｓｏｌｌ）の調節運動を制御し、第２の減衰機能部（３７）は第２の動作モード中、前記設定調整装置（３１）による目標変速比（ｕｅ＿ｓｏｌｌ）の調節運動を制御し、
前記第１の減衰機能部（３６）は第１のモード中、目標変速比（ｕｅ＿ｓｏｌｌ）の前記設定調整装置（３１）による調節運動を、第２の動作モードにおける設定調節装置（３１）による目標変速比（ｕｅ＿ｓｏｌｌ）の調節運動よりも強く減衰する、
請求項１記載の制御装置。
【請求項４】
自動的に目標変速比（ｕｅ＿ｓｏｌｌ）が選択される第１の動作モードのほかに、運転者が直接、目標変速比（ｕｅ＿ｓｏｌｌ）を選択可能な第２の動作モードが設けられている無段変速機（２）の制御方法において、
変速機（２）の制御装置（６）に設けられている装置（３２，３３）において前記目標変速比（ｕｅ＿ｓｏｌｌ）を第１の動作モードまたは第２の動作モードに依存して求め、該目標変速比（ｕｅ＿ｓｏｌｌ）を変速機（２）において設定調整装置（３１）により設定調整し、
該設定調整装置（３１）により減衰装置における１つまたは２つの減衰機能部（３５；３６，３７）を介して目標変速比（ｕｅ＿ｓｏｌｌ）を設定調整する際、前記第１の動作モード中に変速機（２）における目標変速比（ｕｅ＿ｓｏｌｌ）を設定調整する前記設定調整装置（３１）の調節運動を、前記第２の動作モード中よりも強く減衰することを特徴とする、
無段変速機の制御方法。
【請求項５】
第１の動作モード中、目標変速比（ｕｅ＿ｓｏｌｌ）を求める前記装置（３２，３３）における第１の判定機能部（３２）を介して目標変速比（ｕｅ＿ｓｏｌｌ）を求め、第２の動作モード中、目標変速比（ｕｅ＿ｓｏｌｌ）を求める前記装置（３２，３３）における第２の判定機能部（３３）を介して目標変速比（ｕｅ＿ｓｏｌｌ）を求め、
第１の動作モード中、前記減衰装置における第１の減衰機能部（３６）を介して、前記設定調整装置（３１）による目標変速比（ｕｅ＿ｓｏｌｌ）の調節運動を減衰させ、第２の動作モード中、前記減衰装置における第２の減衰機能部（３７）を介して、前記設定調整装置（３１）による目標変速比（ｕｅ＿ｓｏｌｌ）の調節運動を減衰させ、
前記減衰装置における第１の減衰機能部（３６）により、第１の動作モード中の前記設定調整装置（３１）の調節運動を、第２の動作モード中の該減衰装置における第２の減衰機能部（３７）よりも強く減衰させる、
請求項４記載の無段変速機の制御方法。
【発明の詳細な説明】
【０００１】
【発明の属する技術分野】
本発明は、自動的に変速比が選択される第１の動作モードのほかに、運転者が直接、変速比を選択可能な第２の動作モードが設けられている無段変速機の制御装置および制御方法に関する。
【０００２】
【従来の技術】
ドイツ連邦共和国特許公告第４１２０５４０号公報から、運転者によってじかに制御できるマニアル変速段がシミュレートされるように無段変速機を作動させることが知られている。
【０００３】
【発明が解決しようとする課題】
本発明の課題は、無段変速機の本来のタスクにしたがって、自動的に実施される連続的かつむしろゆっくりとした調整移動過程のためにその変速比調整（より正確には直線圧力の調整設定）を構成することにある。
【０００４】
【課題を解決するための手段および利点】
本発明によればこの課題は、制御装置は、変速機における変速比の設定調整に際して減衰装置を用い、第１の動作モードにおける該減衰装置の減衰度は第２の動作モードにおける減衰度よりも高く選定されていることにより解決される。
【０００５】
本発明によれば、器材の損傷を防ぎ障害を及ぼす振動が生じることなく変速比調整を実施できるようにするために、変速比の設定調整は高い減衰度を有する減衰装置を介して行われる。この減衰装置は、設定調整すべき変速比を定める変速比制御部に設けられているかまたは、変速機のシフト部材に作用を及ぼす圧力を変化させて所定の変速比を設定する設定調整装置内に設けられている。
【０００６】
有段変速機をシミュレートするために、変速比の切り替えをできるかぎり短期間に行わなければならない。そしてこのような変速比の切り替えの後、変速比は実質的に一定に保持される。しかしこのことは、既述の高い減衰度によっては行えない。それというのはこれによって変速比の急速な変化を回避しようとするものだからである。
【０００７】
本発明によれば、減衰装置ないし減衰機能（関数）部において、変速比の設定調整時に作用する減衰度を選択された動作モードへ整合させるように構成されている。つまり、自動的な動作モード中は比較的高い減衰度が用いられ、これによって変速比のシフトにあたり、僅かな摩耗と小さいエネルギーコストしか伴わない高い快適性が得られる。これに対して手動の動作モード中は、変速比の跳躍的変化を成す切り替えをできるかぎり精確にシミュレートできるようにするために、低い減衰度が設定される。
【０００８】
従属請求項には本発明の有利な実施形態が示されている。設定調整装置内に減衰装置を配置することは、設定調整装置を本来の変速比制御部とは別個の部分として構成されているならば、著しく容易に実現できる。これに加えて制御装置内では、変速機における変速比の設定調整に作用を及ぼすあらゆる液圧的制御量が考慮されるので、この個所において、既存の装置または機能部がその減衰度に関して作用を及ぼせるようにすることは十分に可能である。
【０００９】
目標変速比を定めるために用いられる変速比制御装置内に減衰装置を配置することにより得られる利点は、減衰度を所期のように目標変速比の設定にのみ作用が及ぼされるようにすることができる点にある。この場合に前提となるのは、後置接続された設定調整装置が減衰装置内で用いられる最小減衰度よりも小さい減衰度を有することである。
【００１０】
それぞれ固定的な減衰度を有する２つの減衰装置を、第１の動作モードないし第２の動作モードにおいてそれぞれ目標変速比を求める各決定装置の出力側にじかに配置することは、既述の解決手段よりも簡単である。それというのは、この場合には各動作モードに対する直接的な対応づけにより、減衰度の切替機構が省略されるからである。
【００１１】
これまでに挙げた利点および実施形態は、本発明による制御方法にも同様にあてはまる。
【００１２】
次に、図面に示された実施例に基づき本発明を詳細に説明する。
【００１３】
【実施例】
図１には、電気液圧式に操作されるたとえばベルト式変速機における無段変速機２の制御部１のブロック図が示されている。無段変速機２は制御可能な始動クラッチ３を介して内燃機関４により駆動される。無段変速機２の出力軸５は、図示されていない車両の車輪駆動部と結合されている。
【００１４】
以下では、時間ｔとともに変化する量または関数を時間ｔの関数ｆ（ｔ）として表す。
【００１５】
制御装置６は、少なくともスロットルバルブ角度発生器７のスロットルバルブ位置ａｌｐｈａ（ｔ）と内燃機関４のエンジン回転数発生器８のエンジン回転数ｎｍｏｔ（ｔ）とに依存して、液圧バルブブロック９を制御する。無段変速機２と始動クラッチ３を制御するために制御装置６は別の入力量として、キックダウンスイッチ１０のキックダウン信号ｋｄ（ｔ）、アイドリングスイッチ１１のアイドリング信号ｌｌ（ｔ）、内燃機関４の空気量ないし空気質量発生器１２の空気量ないし空気質量ｍｌ（ｔ）および変速機入力回転数発生器１３の変速機入力回転数ｎｅ（ｔ）、ならびに走行速度発生器１４の走行速度ｖ（ｔ）を受け取る。これに加えて制御装置６によって、非駆動車両軸における基準速度発生器１５の速度ｖｒｅｆ（ｔ）、横方向加速度発生器１６の横方向加速度ａｑ（ｔ）およびブレーキ信号発生器１７のブレーキ信号ｂ（ｔ）が捕捉検出されて処理される。
【００１６】
さらにこの制御部は通常のように、走行段Ｐ（パーキング）、Ｒ（バック）、Ｎ（ニュートラル）およびＤ（無段変速機の変速比等の自動的な設定調整）をまえもって選択するためセレクト装置１８を介して車両運転者により制御可能である。また、このセレクト装置１８の設定範囲は、変速比等の直接的なプリセットのために設けられている。
【００１７】
セレクト装置１８は走行段Ｄから第２の切換経路１９へ動かすことができ、そこにおいてセレクト装置１８はロッカスイッチとして動作し、車両運転者はシフトアップまたはシフトダウンに関して変速比を制御することができる。セレクト装置１８は、走行段信号ＦＳＴと、シフトタップまたはシフトダウンのための切替要求信号ｓｈｒとを送出する。
【００１８】
ここにおいて、そして以下の説明においても、変速比の変化に関して“シフトアップ”または“変速比の低減”という用語が用いられているが、これは入力回転数が一定に保持されているときに変速機の出力回転数を高めるものであり、有段変速機におけるシフトアップに相応する。これとは逆に、入力回転数が一定に保持されているときに変速機の出力回転数を低減するという意味で変速比の変化に関して“シフトダウン”または“変速比の増加”という用語が記載されており、これは有段変速機におけるシフトダウンに相応する。
【００１９】
前述の各量に依存して、制御装置６は信号出力側ｐｋおよび液圧バルブブロック９を介して始動クラッチ３内の液圧を制御し、さらに信号出力側ｐｅおよびｐａならびに液圧バルブブロック９を介して、変速機入力回転数ｎｅ（ｔ）と変速機出力回転数（走行速度）ｖ（ｔ）との間における変速比ｕｅを制御する。この目的で液圧バルブブロック９は、始動クラッチ３および無段変速機２の対応の制御導管２０，２１，２２をポンプ２３に通じる圧力導管２４と、または液圧流体用の予備タンク２６への帰還導管２５と接続する。
【００２０】
制御装置６は図２に示されているように変速比制御部２７を有しており、これは走行アクティビティ検出機能（関数）部２８、牽引動作−エンジンブレーキ動作検出機能部２９、駆動部スリップ検出機能部３０および設定調整機能部３１と接続されている。
【００２１】
走行アクティビティ検出機能部２８は、有利にはドイツ連邦共和国特許出願公開第３９２２０５１号公報に記載の方法にしたがって、車両の制御に関する運転者の走行スタイルないしは交通状況に基づく運転者の挙動を評価する量すなわち走行アクティビティＳＫ（ｔ）を求める。
【００２２】
牽引動作−エンジンブレーキ動作検出機能部２９は、スロットルバルブ位置ａｌｐｈａ（ｔ）とエンジン回転数ｎｍｏｔ（ｔ）とに依存して、車両が牽引動作であるかエンジンブレーキ動作であるかに関する信号ｚｓ（ｔ）を送出し、さらに駆動部スリップ検出機能部３０は、走行速度ｖ（ｔ）と速度ｖｒｅｆ（ｔ）との差から、駆動輪のスリップを表す駆動部スリップ信号ｓａｎ（ｔ）を求める。
【００２３】
これらの量ならびに、走行段信号ＦＳＴ、切替要求信号ｓｈｒ、スロットルバルブ位置ａｌｐｈａ（ｔ）、キックダウン信号ｋｄ（ｔ）、アイドリング信号ｌｌ（ｔ）、空気量ｍｌ（ｔ）、変速機入力回転数ｎｅ（ｔ）、走行速度ｖ（ｔ）、横方向加速度ａｑ（ｔ）、ブレーキ信号ｂ（ｔ）および変速機出力回転数ｎｅ（ｔ）から、変速比制御部２７は目標変速比ｕｅｓｏｌｌおよび始動クラッチ開／閉信号ＡＫを求め、これらは設定調整機能部３１へ転送される。
【００２４】
設定調整機能部３１は、信号出力側ｐｅおよびｐａによって変速機２の変速比設定部を制御する。さらに、始動クラッチ３は始動クラッチ開／閉信号ＡＫに応じて信号出力側ｐｋを介して設定調整機能部３１により制御される。設定調整機能部３１において、目標変速比ｕｅｓｏｌｌはただちに処理されるのではなく、前置接続された減衰機能部３５を通過してからはじめて処理される。
【００２５】
自動的に変速比を選択する第１の動作モードにおいて変速比制御部２７は判定機能部３２により、入力量すなわち牽引動作／エンジンブレーキ動作信号ｚｓ（ｔ）、駆動部スリップ信号ｓａｎ（ｔ）、走行段信号ＦＳＴ、走行アクティビティＳＫ（ｔ）、スロットルバルブ位置ａｌｐｈａ（ｔ）、エンジン回転数ｎｍｏｔ（ｔ）、アイドリング信号ｌｌ（ｔ）、キックダウン信号ｋｄ（ｔ）、空気量信号ｍｌ（ｔ）、ブレーキ信号ｂ（ｔ）および変速機入力回転数ｎｅ（ｔ）から、目標変速比ｕｅｓｏｌｌを求める。
【００２６】
運転者により制御される第２の動作モードにおいて第２の判定機能部３３により、運転者によってじかに制御可能な有段変速段がシミュレートされる。目標変速比ｕｅｓｏｌｌは、入力量すなわち切替要求信号ｓｈｒ、変速機入力回転数ｎｅ（ｔ）、スロットルバルブ位置ａｌｐｈａ（ｔ）および牽引動作／エンジンブレーキ動作信号ｚｓ（ｔ）から求められる。
【００２７】
第２の判定機能部３３は図示されていないテーブルを有しており、このテーブルにはまえもって設定された目標変速比ｕｅｓｏｌｌ＿ｉが格納されている。まえもって設定された目標変速比ｕｅｓｏｌｌ＿ｉの各々は有段変速機のシミュレートにおいてはこの有段変速機の１つの変速段に相応するので、シミュレートすべき有段変速機の変速段の数と同じ個数で、まえもって定められた目標変速比ｕｅｓｏｌｌ＿ｉが設けられている。したがって、まえもって定められた目標変速比ｕｅｓｏｌｌ＿ｉをシフト段と呼ぶこともできる。
【００２８】
図示されている実施例の場合には５速の有段変速機がシミュレートされているので、前進走行に関して、まえもって定められた目標変速比ｕｅｓｏｌｌ＿１，ｕｅｓｏｌｌ＿２，ｕｅｓｏｌｌ＿３，ｕｅｓｏｌｌ＿４およびｕｅｓｏｌｌ５がこのテーブルに格納されている。まえもって定められた目標変速比は、図式化にしたがってｕｅｓｏｌｌ＿ｉで示されており、その際、ｉは有段変速機の相応の変速段を表している。つまりｕｅｓｏｌｌ＿３は、有段変速機の第３速に対応するまえもって定められた目標変速比を表している。ｕｅｓｏｌｌ＿１からｕｅｓｏｌｌ＿５へ向かって変速段が高まるにつれて、まえもって定められた目標変速比の値はこの方向で減少する。つまり、まえもって定められた目標変速比はｕｅｓｏｌｌ＿１において最高でありｕｅｓｏｌｌ＿５において最低である。
【００２９】
変速比制御部２７は、両方の動作モードのいずれにおいても目標変速比ｕｅｓｏｌｌを設定調整機能部３１へ転送する。これに加えて、動作モード発生器３４は信号Ａ／Ｍを発生させる。この信号は、目下、自動的に変速比を選択する動作モード（Ａ／Ｍ＝Ａ）が選ばれているか、または運転者により制御される第２の動作モード（Ａ／Ｍ＝Ｍ）が選ばれているかを表す。
【００３０】
第１の動作モードが選ばれているならば、変速機２の変速比設定に際して減衰機能部３５により高い減衰度が用いられる。このような変速比設定は快適であるし、高い減衰度により、まだかなり小さい目標変速比の変化がそのつどただちに実行されることはなく、その結果、調節運動の回数が少なくなることおよび調節運動の行われる速度が低いことから、変速機２における変速比の設定に必要なエネルギーコストが小さくなる。これと同時に、調節運動の減少により摩耗も少なくなる。これに対し第２の動作モードが選ばれているならば、変速機２の変速比設定に際して減衰機能部３５により低い減衰度が用いられ、その際、目標変速比ｕｅｓｏｌｌ＿ｉはできるかぎりわずかな遅延時間で、しかし目立ったオーバーシュートなく設定調整される。
【００３１】
別の実施例によれば、減衰機能部３５は図２に破線で示されているように、設定調整機能部３１内ではなく変速比制御部２７内に配置されている。
【００３２】
２つの減衰機能部を設けることが可能であるならば、さらに別の実施例によれば単独の減衰機能部３５はそれぞれ異なる減衰度を有する２つの減衰機能部３６，３７と置き換えられ、それらは判定機能部３２，３３の出力側にそれぞれ配置される。この実施例の場合には動作モード発生器３４を省略できる。その際、第１の判定機能部３２に対応づけられた減衰機能部３６は、第２の判定機能部３３に対応づけられた減衰機能部３７よりも高い減衰度を有する。
【００３３】
図示されている各実施例は一部では”機能部”という表現を用いているように、それらの実現手法に関して固定的に定められていない。つまり、それらは装置としても方法としても同様にして実施することができる。装置としての実施に関する実例は、電気回路であれ液圧回路であれ複数の個別構成ユニット群で構成されることになる。方法としての実施は典型的には、図示された機能部をマイクロプロセッサ制御される制御機器におけるサブプログラムとしてプログラミングし、複数のプロセスステップのシーケンスが構成されるようにして行うことができる。
【図面の簡単な説明】
【図１】制御部を備えた無段変速機の概略図である。
【図２】変速比制御部のブロック概略図である。
【符号の説明】
１  制御部
２  変速機
３  始動クラッチ
４  内燃機関
６  制御装置
９  液圧バルブブロック
２７  変速比制御部
２８  走行アクティビティ検出機能部
２９  牽引動作−エンジンブレーキ動作検出機能部
３０  駆動スリップ検出機能部
３１  設定調整機能部
３２，３３  判定機能部
３４  動作モード発生器
３５，３６，３７  減衰機能部
【図１】
0003857340.tif 000002
【図２】
0003857340.tif 000003